(57)【要約】【課題】送信側ＦＡＸ端末装置からの信号と受信側のＦＡＸ端末装置が再送信する信号との衝突を避けることができるＦＡＸ通信システムおよびその通信方法を提供。【解決手段】ディジタル２リンクＦＡＸシステム１０では、ＶｏＩＰ網２４やＶｏＦＲ網２６の一つにおいて配設された、少なくとも、一つのゲートウェイ装置、たとえばゲートウェイ装置１６に破棄機能を有する出力調整機能部５０を設けて、あらかじめレジスタ５２に破棄するか否かのフラグを設定し、このフラグの設定に応じて供給される信号の一部であるＴＳＩ信号を破棄し、転送する信号量を削減して転送の所要時間を短縮する。【選択図】        図１
2005026944.tif 000002
【特許請求の範囲】
【請求項１】
送信側および受信側とするＦＡＸ端末装置間で行うＦＡＸ通信に異なる複数のディジタル通信網を介在させたＦＡＸ通信システムにおいて、該システムは、
前記複数のディジタル通信網にそれぞれ、前記ＦＡＸ通信するゲートウェイ装置が配設され、
少なくとも、該ＦＡＸ通信の経路上に配設された一のゲートウェイ装置に供給される信号の一部を破棄するか否かがあらかじめ設定され、該設定に応じて破棄処理を施す破棄機能ブロックを含むことを特徴とするＦＡＸ通信システム。
【請求項２】
請求項１に記載のシステムにおいて、前記破棄ブロックが、前記送信側のＦＡＸ端末装置と直接的に通信接続する第１のディジタル通信網または前記受信側のＦＡＸ端末装置と直接的に通信接続する第２のディジタル通信網のいずれかに配設されることを特徴とするＦＡＸ通信システム。
【請求項３】
請求項１または２記載のシステムにおいて、前記破棄機能ブロックが、第１のディジタル通信網で最初に前記送信側のＦＡＸ端末装置からのＦＡＸ通信が入力されるゲートウェイ装置と、第２のディジタル通信網で最初に前記受信側のＦＡＸ端末装置からのＦＡＸ通信が入力されるゲートウェイ装置とに配設されることを特徴とするＦＡＸ通信システム。
【請求項４】
送信側および受信側とするＦＡＸ端末装置間で行うＦＡＸ通信に異なる複数のディジタル通信網を介在させたＦＡＸ通信システムの通信方法において、該方法は、
前記複数のディジタル通信網の一つに備えたゲートウェイ装置に所定の信号を破棄するか否かを示すフラグを設定し、破棄の手順をインストールする第１の工程と、
該設定したフラグに応じて供給される信号のうち、前記所定の信号を破棄する第２の工程とを含みＦＡＸ通信することを特徴とするＦＡＸ通信システムの通信方法。
【請求項５】
請求項４に記載の方法において、第１の工程は、前記送信側のＦＡＸ端末装置と直接的に通信接続する第１のディジタル通信網または前記受信側のＦＡＸ端末装置と直接的に通信接続する第２のディジタル通信網のいずれかのゲートウェイ装置に前記フラグを設定し、前記破棄の手順をインストールすることを特徴とするＦＡＸ通信システムの通信方法。
【請求項６】
請求項４または５に記載の方法において、第１の工程は、第１のディジタル通信網で最初に前記送信側のＦＡＸ端末装置からのＦＡＸ通信が入力されるゲートウェイ装置と、第２のディジタル通信網で最初に前記受信側のＦＡＸ端末装置からのＦＡＸ通信が入力されるゲートウェイ装置とに前記フラグを設定し、前記破棄の手順をインストールすることを特徴とするＦＡＸ通信システムの通信方法。
【発明の詳細な説明】
【０００１】
【発明の属する技術分野】
本発明は、ＦＡＸ通信システムに関し、とくに複数の異なる種類のディジタル通信網をリンクさせてＦＡＸ通信するシステム等に関するものであり、また、本発明は、ＦＡＸ通信システムの通信方法に関するものである。
【０００２】
【従来の技術】
ＦＡＸ（Ｆａｃｓｉｍｉｌｅ）端末装置から出力されるＦＡＸ信号には、介在するディジタル通信網までの間をＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ）  Ｖ．２１で規定したモデム通信方式が適用される。すなわち、この間の通信はアナログ信号である。また、ディジタル通信網としてＶｏＩＰ（Ｖｏｉｃｅ  ｏｖｅｒ  Ｉｎｔｅｒｎｅｔ  Ｐｒｏｔｏｃｏｌ）やＶｏＦＲ（Ｖｏｉｃｅ  ｏｖｅｒ  Ｆｒａｍｅ  Ｒｅｌａｙ）の通信は、ゲートウェイ装置を介して行われる。これらの間における通信は、ＩＴＵ−Ｔ  Ｔ．３８勧告の規格に応じてＩＦＰ（Ｉｎｔｅｒｎｅｔ  Ｆａｃｓｉｍｉｌｅ  Ｐｒｏｔｏｃｏｌ）パケットを転送することによって行われる。ＶｏＩＰとＶｏＦＲのように２つのディジタル通信網を介して行うＦＡＸ通信をディジタル２リンクＦＡＸ通信という。ディジタル２リンクＦＡＸ通信では、ディジタル通信網間の通信がアナログ信号で行うことから、Ａ／Ｄ変換とＤ／Ａ変換が２回ずつ行われる。
【０００３】
このディジタル２リンクＦＡＸ通信において、この転送に先立って行われるプリメッセージ手順は、ＩＴＵ−Ｔ．３０勧告のフェーズＢを基に要求される機能の識別および選択を行っている。通信に用いる信号とその機能について以下に、簡単に説明する。ＮＳＦ（Ｎｏｎ−Ｓｔａｎｄａｒｄ  Ｆａｃｉｌｉｔｉｅｓ：非標準装置）はＩＴＵ−ＴのＴシリーズ勧告の範囲外にある特定の利用者の要求を識別する。ＣＳＩ（Ｃａｌｌｅｄ  Ｓｔａｔｉｏｎ  Ｉｄｅｎｔｉｆｉｃａｔｉｏｎ：被呼局識別）は国際電話番号によって被呼端末を特定する。ＤＩＳ（Ｄｉｇｉｔａｌ  Ｉｄｅｎｔｉｆｉｃａｔｉｏｎ  Ｓｉｇｎａｌ：ディジタル識別信号）は被呼端末の標準能力を表す。ＤＣＳ（Ｄｉｇｉｔａｌ  Ｃｏｍｍａｎｄ  Ｓｉｇｎａｌ：ディジタル命令信号）はＤＩＳ信号で識別され、標準機能に応答するディジタル設定命令である。ＴＳＩ（Ｔｒａｎｓｍｉｔｔｉｎｇ  Ｓｔａｔｉｏｎ  Ｉｄｅｎｔｉｆｉｃａｔｉｏｎ：送信局識別）はこの後に続くＦＩＦ（Ｆａｃｓｉｍｉｌｅ  Ｉｎｆｏｒｍａｔｉｏｎ  Ｆｉｅｌｄ）情報が送信端末の識別であることを表す。ＴＣＦ（Ｔｒａｉｎｉｎｇ  ＣｏｎＦｉｒｍａｔｉｏｎ：トレーニングチェック）はトレーニングを確かめ、このデータ速度でチャネルが使用できることを最初に表示するためＴＴＣ（ｔｈｅ  Ｔｅｌｅｃｏｍｍｕｎｉｃａｔｉｏｎ  Ｔｅｃｈｎｏｌｏｇｙ：電信電話技術委員会）標準ＪＴ−Ｔ４変調システムを介して送出される信号である。ここで、ＪＴ−Ｔ４変調システムとは、日本国内独自の標準の勧告Ｔ４規格に基づいて変調するシステムである。ＣＦＲ（ＣｏｎＦｉｒｍａｔｉｏｎ  ｔｏ  Ｒｅｃｅｉｖｅ：受信準備確認）はプリメッセージ手順がすべて終了し、メッセージ送出を開始してよいことを確認するディジタル応答信号である。
【０００４】
送信側（ＴＣＦおよび画データの受信側）のＦＡＸ端末装置は、ＮＳＦ／ＣＳＩ／ＤＩＳ信号をＶｏＩＰ網のゲートウェイ装置に出力する。ＶｏＩＰ網のゲートウェイ装置間では、ディジタル化したＣＳＩ／ＤＩＳ信号により通信が行われ、ＶｏＩＰ網とＶｏＦＲ網のゲートウェイ装置間では、アナログ化したＣＳＩ／ＤＩＳ信号により通信が行われる。再び、アナログ化したＣＳＩ／ＤＩＳ信号がＶｏＦＲ網のゲートウェイ装置間で、ディジタル化され、ディジタル化したＣＳＩ／ＤＩＳ信号によりＶｏＦＲ網の通信が行われる。ＶｏＦＲ網のゲートウェイ装置は、受信側（ＴＣＦおよび画データの送信側）のＦＡＸ端末装置がアナログ信号を受信信号の形態としていることから、ＣＳＩ／ＤＩＳ信号を受信形態に合わせて出力する。
【０００５】
受信側のＦＡＸ端末装置は、受信したＣＳＩ／ＤＩＳ信号に応じてＴＳＩ／ＤＣＳ信号を送信側のＦＡＸ端末装置に向けてアナログ形態で出力する。ＴＳＩ／ＤＣＳ信号は、受信側のＦＡＸ端末装置−ＶｏＦＲ網のゲートウェイ装置間をアナログ、ＶｏＦＲ網内をディジタル、ＶｏＦＲ網−ＶｏＩＰ網の間をアナログ、ＶｏＩＰ網内をディジタル、ＶｏＩＰ網のゲートウェイ装置と送信側のＦＡＸ端末装置と間をアナログ形態に変換されて、供給される。受信側のＦＡＸ端末装置は、ＴＳＩ／ＤＣＳ信号の送出から所定の時間経過後にＴＣＦ信号をＶｏＦＲ網のゲートウェイ装置に出力する。ＶｏＩＰ網のゲートウェイ装置も、ＴＳＩ／ＤＣＳ信号の送出から所定の時間経過後に１．５秒間連続してＴＣＦ信号を送信側のＦＡＸ端末装置に送出する。
【０００６】
送信側のＦＡＸ端末装置は、ＴＣＦ信号を受信した後、ＣＦＲ信号を受信側のＦＡＸ端末装置に送出する。ＣＦＲ信号は、ＣＳＩ／ＤＩＳ信号の送出形態と同様にそれぞれに合った形態に変換してＶｏＩＰ網、ＶｏＦＲ網を介して受信側のＦＡＸ端末装置に供給される。
【０００７】
ところで、受信側のＦＡＸ端末装置は、ＴＳＩ／ＤＣＳ信号の再送出（リトライ）を３秒または端末装置によって２．５秒に規定している。この再送出を回避するには、送信側のＦＡＸ端末装置が送出するＣＦＲ信号をこの時間内に受信側のＦＡＸ端末装置で受信することが要求される。
【０００８】
【非特許文献１】
ＩＴＵ−Ｔ．３０勧告、１９９６年
【非特許文献２】
ＩＴＵ−Ｔ．３８勧告、１９９８年６月。
【０００９】
【発明が解決しようとする課題】
ところが、ＶｏＩＰ網とＶｏＦＲ網とをつなげる２リンクによって遅延が発生することがある。この遅延によってＣＦＲ信号が遅れると、ＣＦＲ信号が受信側のＦＡＸ端末装置が再送出するＴＳＩ／ＤＣＳ信号と衝突してしまう場合がある。とくにタイムアウト値が短い２．５秒が規定されているＦＡＸ端末装置等で生じる虞が高い。
【００１０】
本発明はこのような従来技術の欠点を解消し、送信側ＦＡＸ端末装置からの信号と受信側のＦＡＸ端末装置が再送信する信号との衝突を避けることができるＦＡＸ通信システムおよびその通信方法を提供することを目的とする。
【００１１】
【課題を解決するための手段】
本発明は上述の課題を解決するために、送信側および受信側とするＦＡＸ端末装置間で行うＦＡＸ通信に異なる複数のディジタル通信網を介在させたＦＡＸ通信システムにおいて、このシステムは、複数のディジタル通信網にそれぞれ、ＦＡＸ通信するゲートウェイ装置が配設され、少なくとも、このＦＡＸ通信の経路上に配設された一のゲートウェイ装置に供給される信号の一部を破棄するか否かがあらかじめ設定され、この設定に応じて破棄処理を施す破棄機能ブロックを含むことを特徴とする。
【００１２】
本発明のＦＡＸ通信システムは、複数のディジタル通信網の一つにおいて配設されたゲートウェイ装置の少なくとも、一つに破棄機能ブロックを設けて、あらかじめ破棄するか否かが設定されており、この設定に応じて供給される信号の一部を破棄することにより、転送する信号量を削減して転送の所要時間を短縮する。
【００１３】
また、本発明は上述の課題を解決するために、送信側および受信側とするＦＡＸ端末装置間で行うＦＡＸ通信に異なる複数のディジタル通信網を介在させたＦＡＸ通信システムの通信方法において、この方法は、複数のディジタル通信網の一つに備えたゲートウェイ装置に所定の信号を破棄するか否かを示すフラグを設定し、破棄の手順をインストールする第１の工程と、この設定したフラグに応じて供給される信号のうち、所定の信号を破棄する第２の工程とを含みＦＡＸ通信することを特徴とする。
【００１４】
本発明のＦＡＸ通信システムの通信方法は、複数のディジタル通信網の一つに備えたゲートウェイ装置に所定の信号を破棄するか否かを示すフラグを設定し、破棄の手順をインストールし、供給される信号を解析し、フラグの設定が破棄を示している場合、供給される信号が含む所定の信号を破棄することにより、転送する信号量を削減して転送の所要時間を短縮する。
【００１５】
【発明の実施の形態】
次に添付図面を参照して本発明によるＦＡＸ通信システムの実施例を詳細に説明する。
【００１６】
本実施例は、本発明のＦＡＸ通信システムをディジタル２リンクＦＡＸシステム１０に適用した場合である。本発明と直接関係のない部分について図示および説明を省略する。以下の説明で、信号はその現れる接続線の参照番号で指示する。
【００１７】
ディジタル２リンクＦＡＸシステム１０は、図２に示すように、ＦＡＸ端末装置１２，  １４およびゲートウェイ装置１６，  １８，  ２０，  ２２を含んでいる。本実施例においてＦＡＸ端末装置１２は送信側（画データ受信側）とし、ＦＡＸ端末装置１４は受信側（画データ送信側）とする。ＦＡＸ端末装置１２，  １４では、通常使用しているアナログのＦＡＸ信号で送受信が行われている。
【００１８】
ゲートウェイ装置１６，  １８はＶｏＩＰ網２４を挟んでＶｏＩＰ網２４にそれぞれ接続され、ＶｏＩＰに対応したパケットによりＦＡＸデータを通信する機能を有している。ゲートウェイ装置２０，  ２２はＶｏＦＲ網２６を挟んでＶｏＦＲ網２６にそれぞれ接続され、ＶｏＦＲに対応したパケットによりＦＡＸデータを通信する機能を有している。また、通信経路上のゲートウェイ装置１６は、前述したＦＡＸ端末装置１２とアナログ通信を行う。通信経路上のゲートウェイ装置２２は、ＦＡＸ端末装置１４とアナログ通信を行う。これに対して、ＶｏＩＰ網２４およびＶｏＦＲ網２６では、ディジタル信号で通信が行われている。ＶｏＩＰ網２４とＶｏＦＲ網２６との間は、アナログ形式のモデム信号により通信が行われる。
【００１９】
このようにして２つのディジタル網を介在させたＦＡＸ端末装置１２，  １４にてＦＡＸ通信を行うため、ゲートウェイ装置１６，  １８，  ２０，  ２２は、Ａ／Ｄ変換部とＤ／Ａ変換部を有している。ゲートウェイ装置１６，  １８，  ２０，  ２２は、本実施例のシステム１０においてそれぞれ、レイヤ３におけるＦＡＸ通信を行っている。このＦＡＸ通信を行う上でゲートウェイ装置１６，  １８，  ２０，  ２２は、基本的に同じ構成である。
【００２０】
ただし、ゲートウェイ装置１６，  １８は、ヘッダ部を２０バイト、情報部（ペイロード部）を４６〜１５００バイトの可変とし、ゲートウェイ装置２０，  ２２は、ヘッダ部を６バイト、情報部にて上位プロトコルの情報を可変とし、データを転送するフォーマットに対応して通信する。
【００２１】
このように同じ構成にあることから、図１に示すゲートウェイ装置１６における概略的な構成およびソフトウェアによる各機能部の構成を簡単に説明する。ゲートウェイ装置１６は、ディジタル信号処理部２８、モデム制御部３０およびＦＡＸ制御部３２を含む。ディジタル信号処理部２８は、ＦＡＸ端末装置１２との間でＦＡＸ信号３４を送受信するモデム３６を内蔵して、ディジタル化したＦＡＸ信号に対してディジタル信号処理を施す機能を有している。また、ディジタル信号処理部２８は、この場合、ＶｏＩＰ網２４の外部に配設されたＦＡＸ端末装置１２とＦＡＸ信号３４を送受信する信号変換部としてＡ／Ｄ変換部３８およびＤ／Ａ変換部４０を含む。
【００２２】
モデム制御部３０は、ディジタル信号処理部２８とＦＡＸ制御部３２との間であって、この間におけるデータの送受信を制御する機能を有している。モデム制御部３０は、ディジタル信号処理部２８に対して図示しないＦＡＸ信号の送信要求と受信要求をそれぞれ、出力してＦＡＸ信号４２の送受信を制御する。また、モデム制御部３０は、ＦＡＸ制御部３２とのＦＡＸ信号４４の送受信も制御している。
【００２３】
ＦＡＸ制御部３２は、とくに、供給されるＦＡＸ信号４４，  ４６をデータ解析する機能と、解析結果に応じた形式に対応させて出力調整する機能とを有している。ＶｏＩＰ網２４との通信に対応させて、ＦＡＸ制御部３２は、データ解析機能部４８でＦＡＸ信号４４を解析し、出力調整機能部５０で解析したデータをＩＦＰパケットに乗せたＦＡＸ信号４６にして出力する。この逆に、ＦＡＸ制御部３２は、ＶｏＩＰ網２４からＦＡＸ信号４６を出力調整機能部５０で受信し、受信したＦＡＸ信号４６をデータ解析機能部４８に供給して、ＩＦＰパケットを抽出して解析し、解析したデータをたとえば出力調整機能部５０でモデム用のデータとするＦＡＸ信号４４に調整してモデム制御部３０に出力する。
【００２４】
また、ＦＡＸ制御部３２には、本発明の特徴であるレジスタ４８が設けられている。レジスタ５２は、ゲートウェイ装置１６のシステムデータが設定されている。システムデータとは、装置の設定情報であり、本実施例ではＦＡＸ信号のＴＳＩ信号を破棄するか否かを指示する情報を含んでいる。レジスタ５２がＴＳＩ信号の破棄を示すフラグを有すると、データ解析機能部４８は、ＴＳＩ信号の有無を解析する。出力調整機能部５０は、この解析結果に応じてＴＳＩ信号を除く処理を施し、送受信にそれぞれ応じてこれ以外のＦＡＸ信号をＶｏＩＰ網２４またはモデム制御部３０に送信する。出力調整機能部５０は、破棄機能ブロックに相当し、フラグが破棄を示すとき、解析結果にＴＳＩ信号を含むとの判定に応じてＴＳＩ信号を破棄する。広義に見れば、破棄機能ブロックは、出力調整機能部５０だけでなく、データ解析機能部４８およびレジスタ５２も含むものと考えることもできる。
【００２５】
このようにしてＦＡＸ信号の通信においてたとえば、オプション信号に対する破棄の指示フラグの設定に応じて所定の信号を破棄することにより、通信に要する時間を短縮することができる。すなわち、ＦＡＸシステム１０における通信の遅延を抑制することにより、受信側のＦＡＸ端末装置１４において再送信の時間を規定するタイムアウト前に所定の信号、たとえばＣＦＲ信号を受信することができ、再送信にともない送出する信号とＣＦＲ信号との衝突を回避することができる。
【００２６】
次にＦＡＸシステム１０において破棄の指示フラグをゲートウェイ装置１８に設定した場合について図３を参照しながら、説明する。ここで示す通信シーケンスは、プリメッセージ手順を例に挙げる。時刻Ｔ１０にてＦＡＸ端末装置１２がＮＳＦ／ＣＳＩ／ＤＩＳ信号６０をゲートウェイ装置１６に出力する。ゲートウェイ装置１６は、時刻Ｔ１２においてデータ解析し、供給されたＮＳＦ／ＣＳＩ／ＤＩＳ信号６０の内、ＩＦＰパケットにＣＳＩ／ＤＩＳ信号６２を格納してゲートウェイ装置１８に供給する。
【００２７】
ゲートウェイ装置１８は、ＶｏＩＰ網２４とＶｏＦＲ網２６の間に対応して供給されたＣＳＩ／ＤＩＳ信号６２をアナログ信号に変換したＣＳＩ／ＤＩＳ信号６４を時刻Ｔ１４にゲートウェイ装置２０に出力する。時刻Ｔ１６にてゲートウェイ装置２０は、ＶｏＦＲ網２６に接続しているゲートウェイ装置２２にディジタル化したＣＳＩ／ＤＩＳ信号６６を出力する。ゲートウェイ装置２２は、供給されたＣＳＩ／ＤＩＳ信号６６をＦＡＸ端末装置１４の受信形式に調整し、時刻Ｔ１８にてアナログのＣＳＩ／ＤＩＳ信号６８をＦＡＸ端末装置１４に出力する。
【００２８】
ＦＡＸ端末装置１４は、ＣＳＩ／ＤＩＳ信号６８を受信して、時刻Ｔ２０にＴＳＩ／ＤＣＳ信号７０をゲートウェイ装置２２に出力する。ＦＡＸ端末装置１４は、この出力に応じてあらかじめ設定しておいたタイムアウト７２までの時間経過の計測を開始する。時刻Ｔ２２でゲートウェイ装置２２は、ディジタル化したＴＳＩ／ＤＣＳ信号７４をゲートウェイ装置２０に供給する。時刻Ｔ２４でゲートウェイ装置２０は、供給されたＴＳＩ／ＤＣＳ信号７４をアナログ形式のＴＳＩ／ＤＣＳ信号７６に変換してゲートウェイ装置１８に送出する。
【００２９】
ゲートウェイ装置１８は、データ解析機能部４８で供給されたＴＳＩ／ＤＣＳ信号７６を解析し、あらかじめ格納しているシステムデータの破棄指示データ（ＴＳＩ破棄フラグ）に対応するか否かを解析結果と比較して判定する。この判定により、出力調整機能部５０はＴＳＩ／ＤＣＳ信号７６のＴＳＩ信号を破棄し、時刻Ｔ２６にてディジタル化したＤＣＳ信号７８をゲートウェイ装置１６に出力する。ゲートウェイ装置１６は、供給されたＤＣＳ信号７８をデータ解析し、解析結果に応じてアナログ形式に変換したＤＣＳ信号８０を時刻Ｔ２８にてＦＡＸ端末装置１２に出力する。ＦＡＸ端末装置１４およびゲートウェイ装置１６は、それぞれゲートウェイ装置２２とＦＡＸ端末装置１２に所定の時間が経過した後、ＴＣＦ信号８２，  ８４を送出している。
【００３０】
ＦＡＸ端末装置１２は、ＤＣＳ信号８０の供給を受けて、時刻Ｔ３０にてＣＦＲ信号８６をゲートウェイ装置１６に送出する。以下、ゲートウェイ装置１６，  １８，  ２０，  ２２は、それぞれ、時刻Ｔ３２，  Ｔ３４，  Ｔ３６，  Ｔ３８でＣＦＲ信号８８，  ９０，  ９２，  ９４をゲートウェイ装置１８，  ２０，  ２２，  ＦＡＸ端末装置１４に出力する。ＦＡＸ端末装置１４は、ＣＦＲ信号９４を時刻Ｔ４０に受信する。これら一連のシーケンスにおいて、ＣＦＲ信号９４がＦＡＸ端末装置１４に到達するまでの時間、すなわち時刻Ｔ２０〜Ｔ４０までの時間がタイムアウト７２の時間よりも短い時間で済む。これにより、ＦＡＸ端末装置１４は、ＴＳＩ／ＤＣＳ信号７０の再送信を行わずに済ますことができ、ＣＦＲ信号９４との衝突を防止することができる。
【００３１】
この時間短縮が可能な理由を以下に説明する。ＦＡＸ端末装置１４から送出されるＴＳＩ信号は、ＩＴＵ−Ｔ．３０勧告によれば、オプションとされている。図示しないがＴＳＩ信号のフィールドは２０バイトとされている。このフィールドにアドレスフィールド、制御フィールドおよびＦＣＳ（Ｆｒａｍｅ  Ｃｈｅｃｋ  Ｓｅｑｕｅｎｃｅ）を合わせると、２４バイト（２４×８＝１９２ビット）になる。２４バイトの信号が３００  ｂｉｔ／ｓで送信されると、（２４×８／３００）×１０００＝６４０  ｍｓで送出されることがわかる。ゲートウェイ装置１８でＴＳＩ信号を破棄すると、通信先のゲートウェイ装置１６にはＴＳＩ信号が転送されない。ゲートウェイ装置１８は、これまで転送に要していた時間、すなわち６４０  ｍｓ分短縮できることになる。ゲートウェイ装置１６は、ＦＡＸ端末装置１２にもＴＳＩ信号が転送されないので、転送時間が短縮される。
【００３２】
したがって、この場合、ＦＡＸ端末装置１４からの応答信号ＴＳＩ／ＤＣＳ信号７０は、ゲートウェイ装置１８からＦＡＸ端末装置１２までのＴＳＩ信号の破棄を考慮すると、６４０  ｍｓ分、短縮することができる。これにより、ＦＡＸ端末装置１４は、この時間分、ＣＦＲ信号を早く受信することができる。
【００３３】
ゲートウェイ装置１６にＴＳＩ信号の破棄機能が設定されていても、この場合、短縮時間は、６４０  ｍｓになる。この時間短縮の効果を受ける経路が長ければ長いほどＴＳＩ信号を転送していた場合に比べて転送時間を有効に短縮することができる。すなわち、オプション信号を送出するＦＡＸ端末装置１４に最も近いゲートウェイ装置にオプション信号の破棄機能を設定すると、ＦＡＸ端末装置１２に供給する経路上にて提供する情報が少なくて済むからである。
【００３４】
本実施例においてゲートウェイ装置２２がこの条件に適合する装置である。ゲートウェイ装置２２にＴＳＩ信号の破棄機能を持たせると、図４に示すように、ゲートウェイ装置２２は、ＦＡＸ端末装置２２から供給されたＴＳＩ／ＤＣＳ信号７０をデータ解析し、ＴＳＩ信号を破棄して、時刻Ｔ２２にＤＣＳ信号９６をゲートウェイ装置２０に出力する。この場合もＴＳＩ信号は、ＩＴＵ−Ｔ．３０勧告に応じた規格であるから、６４０  ｍｓ分の短縮となる。時間短縮に応じてゲートウェイ装置２０以後にも短縮効果が伝播する。ゲートウェイ装置２０は、時刻Ｔ４２にてＤＣＳ信号９８をゲートウェイ装置１８に出力する。ＶｏＩＰ網２４に接続するゲートウェイ装置１８は、時刻４４にてＤＣＳ信号１００をゲートウェイ装置１６に出力し、ゲートウェイ装置１６は、時刻Ｔ４６にてＤＣＳ信号１０２をＦＡＸ端末装置１２に供給する。
【００３５】
ＦＡＸ端末装置１２は、ＤＣＳ信号１０２の供給を受けてＣＦＲ信号８６をゲートウェイ装置１６に出力する。ただし、出力する時刻はＴ４８で時刻Ｔ３０よりも前の時刻である。ゲートウェイ装置１６，  １８，  ２０，  ２２は、それぞれ、時刻Ｔ５０，  Ｔ５２，  Ｔ５４、Ｔ５６にＣＦＲ信号８８，  ９０，  ９２，  ９４を出力する。時刻Ｔ２０〜ＣＦＲ信号９４がＦＡＸ端末装置１４に達する時刻Ｔ５８までの時間は、設定されたタイムアウトの時間７２よりも短い。したがって、ＦＡＸ端末装置１４は、ＴＳＩ／ＤＣＳ信号７０を再送信しないので、ＣＦＲ信号９４との衝突を防止することができる。
【００３６】
なお、本実施例では、オプション信号を送出するＦＡＸ端末装置が受信側のＦＡＸ端末装置１４であることから、破棄機能を有するゲートウェイ装置がゲートウェイ装置２２であったが、これに限定されることなく、本実施例にて送信側のＦＡＸ端末装置１２に最も近いゲートウェイ装置１６に設けてもよいし、ゲートウェイ装置１６，  ２２の両方に設けてもよい。
【００３７】
以上のように構成することにより、ＶｏＩＰ網２４やＶｏＦＲ網２６の一つにおいて配設されたゲートウェイ装置の少なくとも、一つに破棄機能を有する出力調整機能部５０を設けて、あらかじめレジスタ５２に破棄するか否かのフラグを設定し、このフラグの設定に応じて供給される信号の一部であるＴＳＩ信号（オプション信号）を破棄し、転送する信号量を削減して転送の所要時間を短縮することにより、受信側の装置から再送信するタイムアウト前に送信側からの信号を供給して再送信を回避することができ、送信側と受信側双方からの信号が衝突することを防止することができる。
【００３８】
ＦＡＸシステム１０は、破棄機能を持つゲートウェイ装置をＦＡＸ端末装置１２と直接通信するＶｏＩＰ網２４のゲートウェイ装置１６またはＦＡＸ端末装置１４と直接通信するＶｏＦＲ網２６のゲートウェイ装置２２のいずれかに配設してもよい。また、ＦＡＸシステム１０は、破棄機能を持つゲートウェイ装置をゲートウェイ装置１６，  ２２に配設してもよい。これにより、ＦＡＸシステム１０は、転送する信号量を削減して転送の所要時間を短縮することにより、受信側の装置から再送信するタイムアウト前に送信側からの信号を供給して再送信を回避することができ、送信側と受信側双方からの信号が衝突することを防止することができる。
【００３９】
また、ディジタル２リンクＦＡＸシステム１０における通信方法によれば、ＶｏＩＰ網２４やＶｏＦＲ網２６の一つに備えたゲートウェイ装置に所定の信号を破棄するか否かを示すフラグを設定し、破棄の手順をインストールし、供給される信号を解析し、フラグの設定が破棄を示している場合、供給される信号が含む所定の信号を破棄し、転送する信号量を削減して転送の所要時間を短縮することにより、受信側の装置から再送信するタイムアウト前に送信側からの信号を供給して再送信を回避することができ、送信側と受信側双方からの信号が衝突することを防止することができる。
【００４０】
ＦＡＸシステム１０の通信方法は、破棄機能を持つゲートウェイ装置をＦＡＸ端末装置１２と直接通信するＶｏＩＰ網２４のゲートウェイ装置１６またはＦＡＸ端末装置１４と直接通信するＶｏＦＲ網２６のゲートウェイ装置２２のいずれかに配設して通信を行うようにしてもよい。また、ＦＡＸシステム１０の通信方法は、破棄機能を持つゲートウェイ装置をゲートウェイ装置１６，  ２２に配設しても通信してもよい。この通信方法により、オプション信号を削除して転送する信号量を少なくして転送の所要時間を短くし、受信側のＦＡＸ端末装置１４からの再送信するタイムアウト前に送信側からの信号を到達させて、再送信を回避する。この回避により、送信側からの信号と受信側からの再送信信号との衝突を防止することができる。
【００４１】
【発明の効果】
このように本発明のＦＡＸ通信システムによれば、複数のディジタル通信網の一つにおいて配設されたゲートウェイ装置の少なくとも、一つに破棄機能ブロックを設けて、あらかじめ破棄するか否かが設定されており、この設定に応じて供給される信号の一部を破棄し、転送する信号量を削減して転送の所要時間を短縮することにより、受信側の装置から再送信するタイムアウト前に送信側からの信号を供給して再送信を回避することができ、送信側と受信側双方からの信号が衝突することを防止することができる。
【００４２】
また、本発明のＦＡＸ通信システムの通信方法によれば、複数のディジタル通信網の一つに備えたゲートウェイ装置に所定の信号を破棄するか否かを示すフラグを設定し、破棄の手順をインストールし、供給される信号を解析し、フラグの設定が破棄を示している場合、供給される信号が含む所定の信号を破棄し、転送する信号量を削減して転送の所要時間を短縮することにより、受信側の装置から再送信するタイムアウト前に送信側からの信号を供給して再送信を回避することができ、送信側と受信側双方からの信号が衝突することを防止することができる。
【図面の簡単な説明】
【図１】本発明のＦＡＸ通信システムを適用したゲートウェイ装置の概略的な構成およびソフトウェアによる機能を示す図である。
【図２】本発明のＦＡＸ通信システムを適用したディジタル２リンクＦＡＸシステムの構成を示す図である。
【図３】図２のディジタル２リンクＦＡＸシステムの通信手順を説明するシーケンスチャートである。
【図４】図２のディジタル２リンクＦＡＸシステムにて破棄機能を受信側のＦＡＸ端末装置に最も近いゲートウェイ装置に配設した場合のシーケンスチャートである。
【符号の説明】
１０  ディジタル２リンクＦＡＸシステム
１２，  １４  ＦＡＸ端末装置
１６，  １８，  ２０，  ２２  ゲートウェイ装置
２４  ＶｏＩＰ網
２６  ＶｏＦＲ網
４８  データ解析機能部
５０  出力調整機能部
５２  レジスタ
【図１】
2005026944.tif 000003
【図２】
2005026944.tif 000004
【図３】
2005026944.tif 000005
【図４】
2005026944.tif 000006